【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
反射面と、この反射面が形成された反射体本体と、この反射体本体の端面に設けられそれぞれ先端に略球面形状の第１の突起部を有する１対の第１の接続部と、前記反射体本体の端面に設けられ前記１対の第１の接続部が対称になる位置に設置されるとともに先端に略球面形状の第２の突起部を有する第２の接続部と、を有する反射体と、
それぞれ平面状の接触部を有しこの接触部を前記第１の突起部の先端に接触させる１対の第１の支持部と、前記第２の突起部を回動自由に支持する受け面を有する第２の支持部と、を有し、前記第１および第２の支持部により前記反射体を支持する固定部材と、
を備え、
前記第１の接続部の前記反射体本体における接続箇所から当該第１の接続部の先端に設けられた前記第１の突起部の曲率中心までの前記接触部に垂直な方向での距離である接触部垂直距離が、設定され、
１対の前記第１の突起部のそれぞれの曲率中心を通る軸をｘ軸とし、
前記ｘ軸を含む平面と前記反射面との交線を近似する円弧の半径が最大となる前記平面をｘｙ平面とし、前記ｘｙ平面に含まれ前記ｘ軸と直交する軸をｙ軸とし、
前記ｘｙ平面と前記反射面との交線を近似する円弧の半径を前記反射面の曲率半径とし、前記円弧の中心を前記反射面の曲率中心とし、
前記反射体が変形する際に、前記反射面の前記曲率半径が変化し、前記第１の接続部の前記反射体本体との前記接続箇所における接続角度が変化しないと仮定して、
前記接触部に平行な平面において、前記接続箇所が移動する側に前記第１の突起部の前記曲率中心が移動するように、前記接触部垂直距離が設定され、
前記反射面が凹面であり、
前記反射面の曲率半径Ｒ、前記第１の接続部の前記反射体本体における接続箇所と前記反射面の曲率中心とを結ぶ直線と前記ｙ軸とのなす角度Ｔ、前記ｘｙ平面と前記接触部との交線と前記ｘ軸がなす角δ、および前記接触部垂直距離ｈに対して、
前記反射体に対して想定する最大の変形において前記Ｒがｅ倍になるとして、
前記接触部垂直距離ｈは下記数式の条件を満たすように設定されていることを特徴とする反射体取付け構造。
【数１】
2011107263.tif 000001
【請求項２】
前記反射体に対して想定するすべての範囲の変形において、前記反射体が変形する際、前記接触部に対して前記第１の突起部が転がりながら移動するように、前記接触部垂直距離と前記接触部の大きさが設定されていることを特徴とする請求項１に記載の反射体取付け構造。
【請求項３】
前記反射体に対して想定する最大の変形において前記Ｒが小さくなる側では前記ＲがｅＬ倍になるとし前記Ｒが大きくなる側では前記ＲがｅＨ倍になるとして、前記第１の突起部の曲率半径をｒとした場合に、
前記第１の突起部の曲率半径ｒは下記数式を満たすように設定されていることを特徴とする請求項１に記載の反射体取付け構造。
【数２】
2011107263.tif 000002
【請求項４】
前記第１の突起部の曲率半径ｒは下記数式を満たすように設定されていることを特徴とする請求項３に記載の反射体取付け構造。
【数３】
2011107263.tif 000003
【請求項５】
反射面と、この反射面が形成された反射体本体と、この反射体本体の端面に設けられそれぞれ先端に略球面形状の第１の突起部を有する１対の第１の接続部と、前記反射体本体の端面に設けられ前記１対の第１の接続部が対称になる位置に設置されるとともに先端に略球面形状の第２の突起部を有する第２の接続部と、を有する反射体と、
それぞれ平面状の接触部を有しこの接触部を前記第１の突起部の先端に接触させる１対の第１の支持部と、前記第２の突起部を回動自由に支持する受け面を有する第２の支持部と、を有し、前記第１および第２の支持部により前記反射体を支持する固定部材と、
を備え、
前記第１の接続部の前記反射体本体における接続箇所から当該第１の接続部の先端に設けられた前記第１の突起部の曲率中心までの前記接触部に垂直な方向での距離である接触部垂直距離が、設定され、
１対の前記第１の突起部のそれぞれの曲率中心を通る軸をｘ軸とし、
前記ｘ軸を含む平面と前記反射面との交線を近似する円弧の半径が最大となる前記平面をｘｙ平面とし、前記ｘｙ平面に含まれ前記ｘ軸と直交する軸をｙ軸とし、
前記ｘｙ平面と前記反射面との交線を近似する円弧の半径を前記反射面の曲率半径とし、前記円弧の中心を前記反射面の曲率中心とし、
前記反射体が変形する際に、前記反射面の前記曲率半径が変化し、前記第１の接続部の前記反射体本体との前記接続箇所における接続角度が変化しないと仮定して、
前記接触部に平行な平面において、前記接続箇所が移動する側に前記第１の突起部の前記曲率中心が移動するように、前記接触部垂直距離が設定され、
前記反射面が凸面であり、
前記反射面の曲率半径Ｒ、前記第１の接続部の前記反射体本体における接続箇所と前記反射面の曲率中心とを結ぶ直線と前記ｙ軸とのなす角度Ｔ、前記ｘｙ平面と前記接触部との交線と前記ｘ軸がなす角δ、および接触部垂直距離ｈに対して、
前記反射体に対して想定する最大の変形において前記Ｒがｅ倍になるとして、
前記接触部垂直距離ｈと前記第１の突起部の曲率半径ｒは下記数式の条件を満たすように設定されていることを特徴とする反射体取付け構造。
【数４】
2011107263.tif 000004
【請求項６】
反射面と、この反射面が形成された反射体本体と、この反射体本体の端面に設けられそれぞれ先端に略球面形状の第１の突起部を有する１対の第１の接続部と、前記反射体本体の端面に設けられ前記１対の第１の接続部が対称になる位置に設置されるとともに先端に略球面形状の第２の突起部を有する第２の接続部と、を有する反射体と、
それぞれ平面状の接触部を有しこの接触部を前記第１の突起部の先端に接触させる１対の第１の支持部と、前記第２の突起部を回動自由に支持する受け面を有する第２の支持部と、を有し、前記第１および第２の支持部により前記反射体を支持する固定部材と、
を備え、
前記第１の接続部の前記反射体本体における接続箇所から当該第１の接続部の先端に設けられた前記第１の突起部の曲率中心までの前記接触部に垂直な方向での距離である接触部垂直距離が、設定され、
１対の前記第１の突起部のそれぞれの曲率中心を通る軸をｘ軸とし、
前記ｘ軸を含む平面と前記反射面との交線を近似する円弧の半径が最大となる前記平面をｘｙ平面とし、前記ｘｙ平面に含まれ前記ｘ軸と直交する軸をｙ軸とし、
前記ｘｙ平面と前記反射面との交線を近似する円弧の半径を前記反射面の曲率半径とし、前記円弧の中心を前記反射面の曲率中心とし、
前記反射体が変形する際に、前記反射面の前記曲率半径が変化し、前記第１の接続部の前記反射体本体との前記接続箇所における接続角度が変化しないと仮定して、
前記接触部に平行な平面において、前記接続箇所が移動する側に前記第１の突起部の前記曲率中心が移動するように、前記接触部垂直距離が設定され、
前記反射面が平面であり、
前記ｘｙ平面と前記接触部との交線と前記ｘ軸がなす角がδであり、
前記反射体に対して想定する前記反射面が最大の変形での曲率半径をＲ、前記第１の接続部の前記反射体本体における接続箇所と前記反射面の曲率中心とを結ぶ直線と前記ｙ軸とのなす角度をＴとして、
前記接触部垂直距離ｈと前記第１の突起部の曲率半径ｒは下記数式の条件を満たすように設定されていることを特徴とする反射体取付け構造。
【数５】
2011107263.tif 000005
【請求項７】
請求項１乃至６のいずれか１項に記載の反射体取付け構造を備えたことを特徴とする投写型表示装置。